(57)【要約】      （修正有）【課題】台枠を確実にロックできたかのレバー操作感が得られるパチンコ台取付装置を提供する。【解決手段】グリップベースの底部に設けられた固定座２６にピンで回動可能に支持され、台枠を噛み込む噛み込みアーム１３と、グリップベースの底部に設けられたナットに、前後動可能にネジ着され、噛み込みアームの挟み込み角度を増減する調節ボルトと、調節ボルトの先端に連結され、調節ボルトに設けられたノブの回転によって前後動する受座２２と、一端の両側が板状セグメントで挟み込まれ、受座にピンで回動可能に支持される連結板と、噛み込みアームの作用端をピンで連結し、連結板の他端をピンで連結して、台枠を噛み込んだ噛み込みアームのロックとアンロックを行なうレバー１９と、連結板に円板で挟み込まれるように装着され、一方が受座で受け止められ、他方がレバーのコーナーと該コーナーの前後で押圧される太巻きバネ２１と、が備えられる。【選択図】図４
0003194616.tif 000002
【実用新案登録請求の範囲】
【請求項１】
スライドベース、ベースレール、スライドボルト、スライドタップ、グリップベースを有し、台枠の上部を島枠に傾斜可能に取付けるパチンコ台取付装置において、
前記グリップベースの底部に設けられた固定座に、ピンで回動可能に支持され、前記台枠を噛み込む噛み込みアームと、
前記グリップベースの底部に設けられたナットに、前後動可能にネジ着され、前記噛み込みアームの挟み込み角度を増減する調節ボルトと、
前記調節ボルトの先端に連結され、前記調節ボルトに設けられたノブの回転によって前後動する受座と、
一端の両側が板状セグメントで挟み込まれ、前記受座にピンで回動可能に支持される連結板と、
前記噛み込みアームの作用端をピンで連結し、前記連結板の他端をピンで連結して、前記台枠を噛み込んだ噛み込みアームのロックとアンロックを行なうレバーと、
前記連結板に円板で挟み込まれるように装着され、一方が前記受座で受け止められ、他方が前記レバーのコーナーと該コーナーの前後で押圧される太巻きバネと、が備えられることを特徴とするパチンコ台取付装置。
【請求項２】
前記レバーは、先端にＴ字形自由端が設けられることを特徴とする請求項１に記載のパチンコ台取付装置。
【請求項３】
前記噛み込みアームは、コ字形断面をなす溝形で、フランジ歯及びウェブ歯を有することを特徴とする請求項１に記載のパチンコ台取付装置。
【請求項４】
前記グリップベースの前記噛み込みアームの対向面には、洗濯板状の凹凸部が形成されていることを特徴とする請求項３に記載のパチンコ台取付装置。
【考案の詳細な説明】
【技術分野】
【０００１】
本考案は、パチンコ台取付装置に係り、より詳しくは、パチンコ台の台枠を島枠に取付ける際、台枠を確実にロックできたかのレバー操作感が得られるパチンコ台取付装置に関する。
【背景技術】
【０００２】
特許文献１にはパチンコ台取付装置が開示されている。パチンコ台は台枠に取り付けられ、次に台枠が島枠に取付けられる。特許文献１の図９には、台枠の島枠への嵌め込み開始状態と、台枠をグリップした状態が示される。パチンコ台取付装置のレバーを回動して、噛み込みアームの歯で台枠を噛み込んでグリップするが、レバーの回動がきつく、レバーを回動してもグリップしたかどうかの感じが手に伝わらないという問題があった。
【先行技術文献】
【特許文献】
【０００３】
【特許文献１】特開２００９−１４８４８６号公報
【考案の概要】
【考案が解決しようとする課題】
【０００４】
本考案の目的は、台枠を確実にロックできたかのレバー操作感が得られるパチンコ台取付装置を提供することにある。
【課題を解決するための手段】
【０００５】
本考案によるパチンコ台取付装置は、スライドベース、ベースレール、スライドボルト、スライドタップ、グリップベースを有し、台枠の上部を島枠に傾斜可能に取付けるパチンコ台取付装置において、前記グリップベースの底部に設けられた固定座に、ピンで回動可能に支持され、前記台枠を噛み込む噛み込みアームと、前記グリップベースの底部に設けられたナットに、前後動可能にネジ着され、前記噛み込みアームの挟み込み角度を増減する調節ボルトと、前記調節ボルトの先端に連結され、前記調節ボルトに設けられたノブの回転によって前後動する受座と、一端の両側が板状セグメントで挟み込まれ、前記受座にピンで回動可能に支持される連結板と、前記噛み込みアームの作用端をピンで連結し、前記連結板の他端をピンで連結して、前記台枠を噛み込んだ噛み込みアームのロックとアンロックを行なうレバーと、前記連結板に円板で挟み込まれるように装着され、一方が前記受座で受け止められ、他方が前記レバーのコーナーと該コーナーの前後で押圧される太巻きバネと、が備えられることを特徴とする。
【０００６】
前記レバーは、先端にＴ字形自由端が設けられることを特徴とする。
【０００７】
前記噛み込みアームは、コ字形断面をなす溝形で、フランジ歯及びウェブ歯を有することを特徴とする。
【０００８】
前記グリップベースの前記噛み込みアームの対向面には、洗濯板状の凹凸部が形成されていることを特徴とする。
【考案の効果】
【０００９】
本考案のパチンコ台取付装置は、一端の両側が板状セグメントで挟み込まれ、受座にピンで回動可能に支持される連結板に太巻きバネを装着したので、レバーを操作した際、台枠を確実にロックできたレバー操作感が得られる。詳しくは、レバーを操作した際、レバーのコーナーと該コーナーの前後の３箇所で順次、太巻きバネを押圧するので、アンロック状態、途中状態、ロック状態を操作者が手に感じることができる。
【００１０】
レバーの先端にＴ字形自由端を設けたので、親指を載せることができ、レバーが操作しやすいものとできる。
【００１１】
噛み込みアームはコ字形断面をなす溝形で、フランジ歯及びウェブ歯を有するので、台枠を良好に噛み込むことができる。
【００１２】
グリップベースの噛み込みアームの対向面には、洗濯板状の凹凸部が形成されているので、フランジ歯及びウェブ歯と合わせて、台枠が滑らないように良好に噛み込むことができる。
【図面の簡単な説明】
【００１３】
【図１】本考案によるパチンコ台取付装置の斜視図である。
【図２】図１の受座の部分の斜視図ある。
【図３】図２の板状セグメントと連結板を示す斜視図である。
【図４】図１のレバーの操作状態を示す説明図である。
【図５】図１のレバーの操作状態を示す説明図である。
【図６】図１のレバーの操作状態を示す説明図である。
【考案を実施するための形態】
【００１４】
以下、図面を参照して、本考案によるパチンコ台取付装置を詳細に説明する。
【実施例】
【００１５】
図１は、本考案によるパチンコ台取付装置１００の斜視図である。パチンコ台取付装置には、台枠の上部を島枠に傾斜可能に取付ける上部取付装置と、台枠の下部を島枠に取付ける下部取付装置とがある。本実施例では、上部取付装置を例に説明する。図１において、パチンコ台取付装置１００は、スライドベース４の固定用垂直面５が島枠３の後面にネジ留め固定される。これに合わせてベースレール８の突出部分が島枠３の下面にネジ留め固定される。また、グリップベース１１と噛み込みアーム１３の間に台枠２を挿入し、レバー１９を押上げることにより、台枠２を噛み込んで島枠３に固定する。台枠２と島枠３は図４に示す。
【００１６】
台枠２が島枠３にパチンコ台取付装置１００で固定された状態で、スライドボルト９の後端を回動すると、スライドボルト９は、固定用垂直面５と支持用垂直面６で支持されているので前後動せず、スライドタップ１０が前後動する。そして、スライドタップ１０の底部はグリップベース１１に溶接固定されているので、グリップベース１１が前後動して、台枠２を例えば後方に傾斜させることができる。台枠２は、底部を支点とし、高さを半径として回動するので、台枠２の噛み込みアーム１３で噛み込まれた箇所は若干低くなる。これに対応して、スライドボルト９は、固定用垂直面５の縦長小判穴７で支持されているので若干下降する。
【００１７】
図１に示すように、グリップベース１１の前端には、板バネ１５を設けた。板バネ１５は、台枠２を島枠３に嵌め込む際、台枠２の後端をグリップベース１１の下側に導く。これによりグリップベース１１は、島枠３の下側に持ち上げられる。引出し円の中に示すように、グリップベース１１の裏側には５本の筋からなる洗濯板状の凹凸部１２を設けた。これにより、噛み込みアーム１３のフランジ歯１４及びウェブ歯１８と合わせて、台枠２が滑らないように良好に噛み込むことができる。
【００１８】
噛み込みアームと１３は、グリップベース１１の底部に溶接された固定座２６にピン２６ａで回動可能に支持されている。噛み込みアーム１３は、断面がコ字形で、先端のウェブ部を折り曲げウェブ１３ｂを形成し、ここに２個のウェブ歯１８を形成している。噛み込みアーム１３のフランジ１３ａには、ウェブ歯１８より小さい８個のフランジ歯１４が形成されている。
【００１９】
調節ボルト１６は、グリップベース１１の底部に設けられたナット１７に前後動可能にネジ着され、噛み込みアーム１３の挟み込み角度を増減できる。調節ボルト１６のノブを、例えば一方に回転すると、受座２２が前進する。これにより、レバー１９の回転支点（根本の部分）が下方向に移動し、噛み込みアーム１３の挟み込み角度が大きく広がる。調節ボルト１６を逆に回転すると、噛み込みアーム１３の挟み込む角度が小さくなる。レバー１９は、コ字形断面の溝形で、フランジ１９ａを有し、先端にはＴ字形自由端２０を設けている。これによりレバー１９を上下させる操作がしやすい。さらには、Ｔ字形自由端２０を樹脂製のカバーで覆うことで使い勝手を向上させることができる。
【００２０】
図２は、図１の受座２２の部分の斜視図ある。図２は、図１のパチンコ台取付装置１００を上下逆にした場合で示している。図３は、板状セグメント２３と連結板２４を示す斜視図である。受座２２には、連結板２４が、両側を板状セグメント２３で挟み込まれた状態（図３参照）で、ピン２２ａで回動可能に支持される。連結板２４には、円板２５で挟み込まれるように太巻きバネ２１が装着される。連結板２４の他端は、レバー１９に第１ピン１９ｂで回動可能に支持される。レバー１９は、噛み込みアーム１３の作用端を第２ピン１９ｃで回動可能に支持している。
【００２１】
図４〜図６は、図１のレバーの操作状態を示す説明図である。図４は、レバー１９が押し下げられて、噛み込みアーム１３の挟み込み角度が大きな角度とされている。この状態で台枠２が島枠３に嵌め込まれ、一点鎖線で示す位置に押し込まれているとする。この状態では、レバー１９の第１ピン１９ｂ、第２ピン１９ｃ、及び固定座２６のピン２６ａが略一直線状に並ぶ。レバー１９のコーナー２７の前方平坦面が円板２５に当接した状態にある。そして太巻きバネ２１がレバー１９を右下方向に押しているが、レバー１９の背が噛み込みアーム１３の背に当接しているので、それ以上は回動しない状態にある。
【００２２】
図５は、レバー１９が左上方向に押し上げられ、噛み込みアーム１３が台枠２を噛み込んだ状態にある。この状態では、第１ピン１９ｂ、第２ピン１９ｃが略水平に並ぶ。レバー１９のコーナー２７が、円板２５を介して太巻きバネ２１を縮めるように押している。この状態ではきつい操作感が得られる。
【００２３】
図６は、レバー１９がさらに左上方向に押し上げられて略水平とされ、噛み込みアーム１３は台枠２を噛み込んだ状態にある。この状態では、きつい操作感から、ややゆるい操作感に遷移する。この状態では、第１ピン１９ｂ、第２ピン１９ｃが右下方向を向いて傾斜する。レバー１９のコーナー２７の後方平坦面が円板２５に当接した状態にある。そして太巻きバネ２１がレバー１９を右方向に押しているが、噛み込みアーム１３が元の位置に戻れないロックした状態にある。レバー１９を逆に操作すれば、図６、図５、図４のように遷移し、台枠２のロック状態を解除し、台枠２をアンロック状態にできる。台枠２が噛み込みアーム１３でロックされた状態で、スライドボルト９を回動すれば、スライドタップ１０が例えば後方にスライドするので、グリップベース１１が後方にスライドし、結果、台枠２が後方にスライドする。これにより、台枠２に取付けたパチンコ台が傾斜できる。
【産業上の利用可能性】
【００２４】
本考案によるパチンコ台取付装置によれば、レバーの操作により噛み込みアームが台枠に噛み込んだかの操作感が得られるので使い勝手がよい。
【符号の説明】
【００２５】
２    台枠
３    島枠
４    スライドベース
５    固定用垂直面
６    支持用垂直面
７    縦長小判穴
８    ベースレール
９    スライドボルト
１０    スライドタップ
１１    グリップベース
１２    凹凸部
１３    噛み込みアーム
１３ａ    フランジ
１３ｂ    ウェブ
１４    フランジ歯
１５    板バネ
１６    調節ボルト
１７    ナット
１８    ウェブ歯
１９    レバー
１９ａ    フランジ
１９ｂ    第１ピン
１９ｃ    第２ピン
２０    Ｔ字形自由端
２１    太巻きバネ
２２    受座
２２ａ    ピン
２３    板状セグメント
２４    連結板
２５    円板
２６    固定座
２６ａ    ピン
２７    コーナー
１００    パチンコ台取付装置
【図１】
0003194616.tif 000003
【図２】
0003194616.tif 000004
【図３】
0003194616.tif 000005
【図４】
0003194616.tif 000006
【図５】
0003194616.tif 000007
【図６】
0003194616.tif 000008